(57)【要約】【課題】リードスクリュー及びナットを備えるレンズ駆動装置において、ナットの振動がレンズ枠に伝わるのを防止する。【解決手段】ベース１０、ベースに固定された駆動源４０、駆動源により回転駆動されるリードスクリュー５０、レンズＧを保持すると共にベースに対して光軸方向Ｌに移動自在に支持されたレンズ枠３０、リードスクリューに螺合すると共に光軸方向においてレンズ枠に当接するナット６０を備え、ナット６０は、その外周縁部（２つの回転止め突起６２ａ）がベース１０の壁面部１４と回転不能に局部的に係合するようになっている。これにより、ナットからベースへの振動の伝達を極力防止でき、その結果、ベースからレンズ枠に振動が伝わるのを確実に防止できる。【選択図】図５
2008065093.tif 000002
【特許請求の範囲】
【請求項１】
ベース、前記ベースに固定された駆動源、前記駆動源により回転駆動されるリードスクリュー、レンズを保持すると共に前記ベースに対して光軸方向に移動自在に支持されたレンズ枠、前記リードスクリューに螺合すると共に光軸方向において前記レンズ枠に当接するナット、を備えたレンズ駆動装置であって、
前記ナットは、その外周縁部が前記ベースと回転不能に局部的に係合している、
ことを特徴とするレンズ駆動装置。
【請求項２】
前記ナットは、略矩形に形成されかつその外周縁部において突出する２つの回転止め突起を有し、
前記ベースは、光軸方向において、前記２つの回転止め突起を摺動させる壁面部を有する、
ことを特徴とする請求項１記載のレンズ駆動装置。
【請求項３】
前記ナットの回転止め突起は、光軸方向に伸長するように形成されている、
ことを特徴とする請求項２記載のレンズ駆動装置。
【請求項４】
前記ベースの壁面部は、前記２つの回転止め突起を同時に当接させるべく、光軸方向に平行な平坦面に形成されている、
ことを特徴とする請求項２又は３に記載のレンズ駆動装置。
【請求項５】
前記ベースは、光軸方向に伸長すると共に光軸に垂直な方向に突出する２つの回転止め突起を有し、
前記ナットは、略矩形に形成されかつ前記２つの回転止め突起に当接する外周縁部を有する、
ことを特徴とする請求項１記載のレンズ駆動装置。
【請求項６】
前記ナットの外周縁部は、前記２つの回転止め突起に同時に当接するべく、光軸方向に平行な平坦面に形成されている、
【請求項７】
前記回転止め突起は、略半円又は湾曲した断面をなすように形成されている、
ことを特徴とする請求項３ないし６いずれかに記載のレンズ駆動装置。
【請求項８】
前記レンズ枠は、光軸方向の一方向から前記ナットに当接する当接部を有し、
前記当接部を前記ナットに押圧するべく付勢力を及ぼすバネを有する、
ことを特徴とする請求項１ないし７いずれかに記載のレンズ駆動装置。
【発明の詳細な説明】
【技術分野】
【０００１】
本発明は、リードスクリュー及びナットの螺合によるネジ送り構造により、レンズを保持したレンズ枠を光軸方向に駆動するレンズ駆動装置に関する。
【背景技術】
【０００２】
従来のレンズ駆動装置としては、ベース（あるいはケース）、レンズを保持したレンズ枠、レンズ枠を光軸方向に案内するべくベースに固定されたガイドシャフト、ベースに固定されたモータ、モータに直結されて回転駆動されるリードスクリュー、レンズ枠に対して回転不能に保持されると共にリードスクリューに螺合するナット、ナットをレンズ枠に向けて付勢するコイルスプリング等を備え、モータによりリードスクリューを回転させて、ナットをネジ送りすることにより、レンズ枠を光軸方向に移動させるものが知られている（例えば、特許文献１、特許文献２参照）。
【０００３】
しかしながら、上記従来の装置においては、ナットの回転を止めるべく、ナットから突出した回転止め部（突起）をレンズ枠のストッパ（受け面をもつ溝）に直接係合させているため、リードスクリューとナット間の組付け公差、ネジ部（雄ネジ、雌ネジ）の加工公差等による負荷変動あるいはモータの回転駆動力とその反動等により、ナットの回転止め部がレンズ枠のストッパに対して衝突を繰り返してガタツキ現象を生じ、光軸と垂直な方向にレンズ枠が振動するという問題があった。
その結果、この装置を適用したＣＤやＤＶＤ用の光ピックアップユニット等においては、ディスク上のデータの読み出しや書き込み中に、レンズ枠を光軸方向に移動させるとき、レンズの光軸が変動してトラッキングエラーを生じるという問題があった。
【０００４】
【特許文献１】特開２００５−２４９６８号公報
【特許文献２】特開２００５−１７３４４２号公報
【発明の開示】
【発明が解決しようとする課題】
【０００５】
本発明は、上記の事情に鑑みて成されたものであり、その目的とするところは、構造の簡素化、装置の小型化等を図りつつ、駆動機構（駆動源、リードスクリュー、ナット）からレンズ枠へ振動が伝達するのを防止して、レンズ枠（レンズ）を光軸方向に高精度に安定して駆動できるレンズ駆動装置を提供することにある。
【課題を解決するための手段】
【０００６】
本発明のレンズ駆動装置は、ベース、ベースに固定された駆動源、駆動源により回転駆動されるリードスクリュー、レンズを保持すると共にベースに対して光軸方向に移動自在に支持されたレンズ枠、リードスクリューに螺合すると共に光軸方向においてレンズ枠に当接するナット、を備えたレンズ駆動装置であって、上記ナットは、その外周縁部がベースと回転不能に局部的に係合している、ことを特徴としている。
この構成によれば、駆動源の回転駆動力によりリードスクリューが回転すると、ナットがベースと局部的に係合して、その回転が規制されつつ光軸方向にネジ送りされ、このナットに追従してレンズ枠が光軸方向に移動する。
ここで、ナットは、その外周縁部がベースと局部的に回転不能に係合しているため、駆動源→リードスクリュー→ナット→ベース→レンズ枠という振動の伝達経路において、ナットからベースへの振動の伝達を極力防止することができ、その結果、ベースからレンズ枠に振動が伝わるのを確実に防止することができる。
したがって、レンズ枠（レンズ）は振動することなく光軸方向に安定して移動する。これにより、このレンズ駆動装置が光ピックアップユニット等に搭載された場合に、レンズの駆動中においても光軸が変動せず、トラッキングエラー等を防止（焦点を一定に保持）して、記録又は再生を高精度に行うことができる。
【０００７】
上記構成において、ナットは、略矩形に形成されかつその外周縁部において突出する２つの回転止め突起を有し、ベースは、光軸方向において、２つの回転止め突起を摺動させる壁面部を有する、構成を採用することができる。
この構成によれば、ナットの外周縁部に形成された２つの回転止め突起をベースの壁面部に摺動自在に当接させるだけで、ナットを回転不能に局部的にベースに係合させることができ、又、壁面部はベースに一体的に設けられるものであるため、部品点数の増加を招くこともなく、構造の簡素化、組付けの容易化、低コスト化、装置の小型化等を達成できる。
【０００８】
上記構成において、ナットの回転止め突起は、光軸方向に伸長するように形成されている、構成を採用することができる。
この構成によれば、回転止め突起が光軸方向に伸長する突条であるため、ナットの回転を規制しつつも、ナットの倒れ又は傾斜等を防止しつつ、ナットを光軸方向に円滑にネジ送りすることができる。
【０００９】
上記構成において、ベースの壁面部は、２つの回転止め突起を同時に当接させるべく、光軸方向に平行な平坦面に形成されている、構成を採用することができる。
この構成によれば、ナットとベースの間隔を狭くでき、部品の集約化による装置の小型化を達成することができ、又、ナットの２つの回転止め突起が、ベースの平坦面（壁面部）に対して、光軸に垂直な面内の同一方向から当接するため、振動の伝達を効率よく抑制ないし防止することができる。
【００１０】
上記構成において、ベースは、光軸方向に伸長すると共に光軸に垂直な方向に突出する２つの回転止め突起を有し、ナットは、略矩形に形成されかつベースの２つの回転止め突起に当接する外周縁部を有する、構成を採用することができる。
この構成によれば、ナットの外周縁部をベースに形成された２つの回転止め突起に摺動自在に当接させるだけで、ナットを回転不能に局部的にベースに係合させることができ、又、回転止め突起はベースに一体的に設けられるものであるため、部品点数の増加を招くこともなく、構造の簡素化、組付けの容易化、低コスト化、装置の小型化等を達成できる。
【００１１】
上記構成において、ナットの外周縁部は、２つの回転止め突起に同時に当接するべく、光軸方向に平行な平坦面に形成されている、構成を採用することができる。
この構成によれば、ナットとベースの間隔を狭くでき、部品の集約化による装置の小型化を達成することができ、又、ベースの２つの回転止め突起が、ナットの平坦面（外周縁部）に対して、光軸に垂直な面内の同一方向から当接するため、振動の伝達を効率よく抑制ないし防止することができる。
【００１２】
上記構成において、回転止め突起は、略半円又は湾曲した断面をなすように形成されている、構成を採用することができる。
この構成によれば、ナットとベースを線状に当接させることができ、両者の接触面積を極力抑えつつ（局部的に係合させつつ）、ナット（すなわち、レンズ枠）を光軸方向に円滑にネジ送りすることができる。
【００１３】
上記構成において、レンズ枠は、光軸方向の一方向からナットに当接する当接部を有し、当接部をナットに押圧するべく付勢力を及ぼすバネを有する、構成を採用することができる。
この構成によれば、ベースに対して、ナット、レンズ枠、バネを、容易にかつ確実に組付けることができ、レンズ枠の振動を防止する構造を採用しつつも、装置の生産性を向上させることができる。
【発明の効果】
【００１４】
上記構成をなすレンズ駆動装置によれば、構造の簡素化、装置の小型化等を達成しつつ、駆動機構（駆動源、リードスクリュー、ナット）からベースを介してレンズ枠へ振動が伝達するのを防止して、レンズ枠（レンズ）を光軸方向に高精度に安定して駆動できるレンズ駆動装置を得ることができる。
【発明を実施するための最良の形態】
【００１５】
以下、本発明の最良の実施形態について、添付図面を参照しつつ説明する。
図１ないし図５は、本発明に係るレンズ駆動装置の一実施形態を示すものであり、図１は装置の分解斜視図、図２は装置の側面図、図３は装置の断面図、図４は装置の一部をなすナットを示す斜視図及び平面図、図５は装置を光軸方向から見た断面図である。
【００１６】
この装置は、図１ないし図３に示すように、ベース１０、ベース１０に固定され光軸方向Ｌに伸長する２つのガイドシャフト２０、レンズＧを保持しガイドシャフト２０により光軸方向Ｌに移動自在に支持されたレンズ枠３０、ベース１０に固定された駆動源としてのモータ４０、モータ４０に直結され光軸方向Ｌに伸長するリードスクリュー５０、リードスクリュー５０に螺合されると共にレンズ枠３０に当接されるナット６０、レンズ枠３０をナット６０に向けて付勢するバネ７０、レンズ枠３０の初期位置を検出する検出センサ８０等を備えている。
【００１７】
ベース１０は、図１ないし図３、図５に示すように、樹脂材料を用いて、半体ベース１０ａ及び半体ベース１０ｂにニ分割に成型されており、リードスクリュー５０を通してモータ４０を固定する固定部１１、バネ７０の一端を当接させて収容する収容部１２、ガイドシャフト２０の両端を嵌合させる嵌合孔１３、略矩形状で光軸方向Ｌに延出する壁面部１４、検出センサ８０を装着する装着部１５等を備えている。そして、２つの半体ベース１０ａ，１０ｂは、ネジＢにより結合されるようになっている。
【００１８】
ここで、壁面部１４は、図１、図２、図５に示すように、光軸方向Ｌに平行な平坦面に形成されており、後述するナット６０の２つの回転止め突起６２を摺動自在に当接させて、ナット６０を回転不能に局部的に係合させるものである。
すなわち、ナット６０の後述する２つの回転止め突起６２をベース１０の壁面部１４に摺動自在に当接させるだけで、ナット６０を回転不能にベース１０に局部的に係合させることができる。
また、壁面部１４は、ベース１０に一体的に設けられるものであるため、回転止めのための専用の部品を必要とせず、構造の簡素化、組付けの容易化、低コスト化、装置の小型化等を達成できる。
【００１９】
２つのガイドシャフト２０は、図１ないし図３に示すように、円形断面をなす金属材料により光軸方向Ｌに伸長するように形成されており、それらの両端がベース１０の嵌合孔１３に嵌合されている。そして、一方のガイドシャフト２０がレンズ枠３０を光軸方向Ｌに案内し、他方のガイドシャフト２０がレンズ枠３０を光軸方向Ｌに案内すると共にレンズ枠３０が光軸Ｌ回りに回転するのを規制している。
【００２０】
レンズ枠３０は、樹脂材料により形成されており、図１ないし図３、図５に示すように、レンズＧを片持ち梁状の一端に保持する環状部３１、環状部３１と一体的に形成されてナット６０を当接させると共にリードスクリュー５０を通す貫通孔３２ａを画定する当接部３２、当接部３２を挟むように両側に形成されてガイドシャフト２０を摺動自在に嵌合させて連結する連結部３３，３４、連結部３３の端部に形成されたバネ受け部３５、連結部３３の近傍から延出して検出センサ８０により検出されるための被検出片３６等を備えている。
【００２１】
モータ４０は、所定の角度刻みでステップ的に回転し得るステッピングモータであり、ネジＢによりベース１０の固定部１１に固定されている。そして、モータ４０は、直結されたリードスクリュー５０に回転駆動力を及ぼすようになっている。
【００２２】
リードスクリュー５０は、図１ないし図３に示すように、金属材料により光軸方向Ｌに伸長するように形成されており、その外周面の所定領域に亘って、後述するネット６０の雌ネジ６１と螺合する雄ネジ５１を備えている。
【００２３】
ナット６０は、図１ないし図５に示すように、金属材料により略矩形に形成されており、リードスクリュー５０の雄ネジ５１に螺合する雌ネジ６１、光軸方向Ｌに平行な平坦面をなす外側面６２、外側面６２の両縁部（すなわち、ナット６０の外周縁部）から径方向外向きに突出すると共に光軸方向Ｌに伸長して突条に形成された２つの回転止め突起６２ａ、レンズ枠３０の当接部３２と当接する端面６３等を備えている。
２つの回転止め突起６２ａは、その断面が略半円又は湾曲するように形成されて、ベース１０の壁面部１４と光軸方向Ｌに伸長して線接触するようになっている。
そして、ナット６０は、その外周面（外周縁部）がレンズ枠３０（の当接部３２を画定する壁面）と非接触の状態で、当接部３２に当接して保持されるようになっている。
【００２４】
このように、ナット６０の外周縁部に２つの回転止め突起６２ａを形成しているため、ベース１０の壁面部１４に摺動自在に当接させるだけで、ナット６０を回転不能にベースに局部的に係合させることができ、構造の簡素化、組付けの容易化、低コスト化、装置の小型化等を達成できる。
特に、２つの回転止め突起６２ａは、光軸方向Ｌに伸長するように突条に形成されているため、ナット６０の回転を規制しつつも、ナット６０の倒れ又は傾斜等を防止しつつ、ネジ送りされるナット６０を光軸方向Ｌに円滑に案内することができる。
【００２５】
また、２つの回転止め突起６２ａは、略半円又は湾曲した断面をなすように形成されているため、ナット６０とベース１０を線状に当接させることができ、両者の接触面積を極力抑えて、摩擦抵抗を低減させることができ、ナット６０（すなわち、レンズ枠３０）を光軸方向Ｌに円滑にネジ送りすることができる。
さらに、２つの回転止め突起６２ａは、ベース１０の壁面部１４（平坦面）に同時に当接するように形成されているため、ナット６０とベース１０の間隔を狭くでき、部品の集約化による装置の小型化を達成することができ、又、ナット６０の２つの回転止め突起６２ａが、ベース１０の壁面部１４（平坦面）に対して、光軸Ｌに垂直な面内の同一方向から当接するため、振動の伝達を効率よく抑制ないし防止することができる。
【００２６】
バネ７０は、図１及び図３に示すように、コイル状に形成された圧縮型のコイルバネであり、その一端がレンズ枠３０のバネ受け部３５に係合され、その他端がベース１０の収容部１２（の底壁）に係合されて、所定の圧縮代に圧縮した状態で取り付けられている。したがって、バネ７０は、レンズ枠３０を光軸方向Ｌの一方に向けて付勢し、レンズ枠３０の当接部３２をナット６０（の端面６３）に押圧するような付勢力を及ぼす。
【００２７】
検出センサ８０は、発光素子及び受光素子をもつ透過型の光センサであり、レンズ枠３０の被検出片３６の有無により、レンズ枠３０の初期位置（ホームポジション）を検出するようになっている。
【００２８】
次に、装置の組付けについて簡単に説明すると、先ず、ガイドシャフト２０を半体ベース１０ａの嵌合孔１３にそれぞれ嵌合して固定し、バネ７０を圧縮しつつレンズ枠３０をガイドシャフト２０に摺動自在に嵌合させる。
続いて、リードスクリュー５０が直結されたモータ４０を、ベース１０の固定部１１に固定するべく配置し、当接部３２の上方からナット６０を近づけてリードスクリュー５０に螺合させる。
【００２９】
そして、半体ベース１０ｂにガイドシャフト２０の他端をそれぞれ嵌合させ、半体ベース１０ａ，１０ｂ並びにモータ４０を一体的にネジＢで締結する。
このとき、半体ベース１０ｂの壁面部１４に対して、ナット６０の２つの回転止め突起６２ａが光軸方向Ｌに摺動自在に係合することになる。
さらに、半体ベース１０ｂの装着部１５に検出センサ９０を組付けて固定する。これにより、装置の組付けが完了する。
【００３０】
このように、装置の組付けにおいては、図１の分解斜視図にて示すように、光軸方向Ｌにおいて、ベース１０、ガイドシャフト２０、レンズ枠３０、リードスクリュー５０を直結したモータ４０、ナット６０、バネ７０を用意して嵌め込むだけで、ナット６０を回転不能にしつつ、全体を容易にかつ確実に組付けることができる。したがって、装置の組付け作業を容易にかつ迅速に行うことができ、生産性を向上させることができる。
【００３１】
次に、この装置の動作について説明する。
先ず、レンズ枠３０が光軸方向Ｌの一方（初期位置）に位置するとき、検出センサ８０は被検出片３６を検出する。
そして、モータ４０が正回転すると、リードスクリュー５０が回転し、２つの回転止め突起６２ａがベース１０の壁面部１４に回転不能に係合しつつ光軸方向Ｌにのみ摺動自在に案内されて、ナット６０はネジ送り作用により光軸方向Ｌの他方に向けて移動する。
すると、ナット６０と当接部３２の当接により、レンズ枠３０は、バネ７０の付勢力に抗しつつナット６０と一緒になって光軸方向Ｌの他方に向けて移動する。
そして、モータ４０の起動からのステップ数をカウントして、レンズ枠３０の駆動量を適宜制御して、レンズ枠３０を所望の位置に位置決めする。
【００３２】
一方、モータ４０が逆回転すると、リードスクリュー５０が回転し、２つの回転止め突起６２ａがベース１０の壁面部１４に回転不能に係合しつつ光軸方向Ｌにのみ摺動自在に案内されて、ナット６０はネジ送り作用により光軸方向Ｌの一方に向けて移動する。
すると、バネ７０の付勢力によりナット６０は当接部３２に常時当接させられるため、レンズ枠３０は、ナット６０に追従して（ナット６０と一緒になって）光軸方向Ｌの一方に向けて移動し、駆動量を適宜制御することで所望の位置に位置決めされ、さらに一方に移動して初期位置に戻る。
【００３３】
この駆動動作において、雄ネジ５１や雌ネジ６１の加工公差等による負荷変動、リードスクリュー５０の回転力及びその反力等により、ナット６０が仮に微小振動を生じても、ナット６０は、ベース１０と回転不能に局部的に係合しているだけで、光軸Ｌに垂直な方向においてレンズ枠３０と係合していないため、その微小振動がベース１０に伝わるのを防止ないし抑制でき、それ故に、微小振動がベース１０からレンズ枠３０に伝わるのを確実に防止することができる。
【００３４】
すなわち、この装置によれば、構造の簡素化、小型化等を達成しつつ、モータ４０→リードスクリュー５０→ナット６０→ベース１０→レンズ枠３０という振動の伝達経路において、ナット６０からベース１０への振動の伝達を極力防止することができ、その結果、ベース１０からレンズ枠３０に振動が伝わるのを確実に防止することができる。
したがって、レンズ枠３０（レンズＧ）は振動することなく光軸方向Ｌに安定して移動する。これにより、この装置が光ピックアップユニット等に搭載された場合に、レンズＧの駆動中においても光軸Ｌが変動せず、トラッキングエラー等を防止（焦点を一定に保持）して、記録又は再生を高精度に行うことができる。
【００３５】
図６及び図７は、本発明に係るレンズ駆動装置の他の実施形態を示す分解斜視図及び断面図であり、前述の実施形態と同一の構成については同一の符号を付してその説明を省略する。
この装置においては、図６及び図７に示すように、ベース１０´（半体ベース１０ｂ´）は、壁面部１４´において、光軸方向Ｌに平行に伸長すると共に光軸Ｌに垂直な方向に突出する２つの回転止め突起１４ａを一体的に備えている。
【００３６】
２つの回転止め突起１４ａ´は、略半円又は湾曲した断面をなすように形成されているため、ナット６０´とベース１０´を線状に当接させることができ、両者の接触面積を極力抑えて、摩擦抵抗を低減させることができ、ナット６０´（すなわち、レンズ枠３０）を光軸方向Ｌに円滑にネジ送りすることができる。
【００３７】
ナット６０´は、図６及び図７に示すように、雌ネジ６１，平坦面としての外側面６２´，端面６３を画定するように略矩形に形成されている。そして、外側面６２´の両縁部６２ａ´が、ベース１０´の２つの回転止め突起１４ａに当接する外周縁部として機能するようになっている。
【００３８】
したがって、ナット６０´の両縁部６２ａ´（外周縁部）をベース１０´の２つの回転止め突起１４ａ´に摺動自在に当接させるだけで、ナット６０´を回転不能にベース１０´に局部的に係合させることができ、又、回転止め突起１４ａ´はベース１０´に一体的に設けられるものであるため、部品点数の増加を招くこともなく、構造の簡素化、組付けの容易化、低コスト化、装置の小型化等を達成できる。
【００３９】
また、ナット６０´の両縁部６２ａ´（外周縁部）は、２つの回転止め突起１４ａ´に対して同時に当接するべく、光軸方向Ｌに平行な平坦面に形成されているため、ナット６０´とベース１０´の間隔を狭くでき、部品の集約化による装置の小型化を達成することができ、又、ベース１０´の２つの回転止め突起１４ａ´が、ナット６０´の外側面６２´（外周縁部）に対して、光軸Ｌに垂直な面内の同一方向から当接するため、振動の伝達を効率よく抑制ないし防止することができる。
【００４０】
この装置においても、前述同様に、構造の簡素化、小型化等を達成しつつ、モータ４０→リードスクリュー５０→ナット６０´→ベース１０´→レンズ枠３０という振動の伝達経路において、ナット６０´からベース１０´への振動の伝達を極力防止することができ、その結果、ベース１０´からレンズ枠３０に振動が伝わるのを確実に防止することができる。
したがって、レンズ枠３０（レンズＧ）は振動することなく光軸方向Ｌに安定して移動する。これにより、この装置が光ピックアップユニット等に搭載された場合に、レンズＧの駆動中においても光軸Ｌが変動せず、トラッキングエラー等を防止（焦点を一定に保持）して、記録又は再生を高精度に行うことができる。
【００４１】
上記実施形態においては、光軸方向Ｌに移動するレンズ枠として一つのレンズ枠３０を示したが、これに限定されるものではなく、複数のレンズ枠を備える構成において本発明を適用することができる。その場合、ベース１０，１０´の壁面部１４又は回転止め突起１４ａ´は、共用してもよく、又、レンズ枠ごとに設けてもよい。
上記実施形態においては、ナット６０，６０´にレンズ枠３０の当接部３２を当接させるべくバネ７０を採用した場合を示したが、これに限定されるものではなく、ナット６０，６０´を光軸方向Ｌの両側から挟み込むような構造をレンズ枠３０に設けて、バネ７０を廃止する構成においても、本発明を適用することができる。
【００４２】
上記実施形態においては、ナット６０の２つの回転止め突起６２ａを係合させるベース１０の壁面部１４を平坦面に形成し、又、ベース１０´の２つの回転止め突起１４ａ´を係合させるナット６０´の外周縁部（外側面６２´の両縁部６２ａ´）を平坦面に形成した場合を示したが、これに限定されるものではなく、ナット６０，６０´の回転を規制できるものであれば、平坦以外の形状において２つの回転止め突起６２ａ，１４ａ´が係合するようにしてもよい。
【産業上の利用可能性】
【００４３】
以上述べたように、本発明のレンズ駆動装置は、構造の簡素化、小型化等を達成しつつ、ナットからベースを介してレンズ枠に振動が伝わるのを防止できるため、光ピックアップユニット等に適用できるのは勿論のこと、レンズ枠の振動そのものを防止する必要があるものであれば、その他のレンズ光学系に対しても有用である。
【図面の簡単な説明】
【００４４】
【図１】本発明に係るレンズ駆動装置の一実施形態を示す分解斜視図である。
【図２】図１に示すレンズ駆動装置の側面図である。
【図３】図１に示すレンズ駆動装置の断面図である。
【図４】図１に示すレンズ駆動装置に含まれるナットを示すものであり、（ａ）はその斜視図、（ｂ）はその平面図である。
【図５】図１に示すレンズ駆動装置を光軸方向から見た断面図である。
【図６】本発明に係るレンズ駆動装置の他の実施形態を示す分解斜視図である。
【図７】図６に示すレンズ駆動装置を光軸方向から見た断面図である。
【符号の説明】
【００４５】
Ｌ  光軸方向
１０，１０´  ベース
１０ａ，１０ｂ，１０ｂ´  半体ベース
１１  固定部
１２  収容部
１３  嵌合孔
１４，１４´  壁面部
１４ａ´  回転止め突起
１５  装着部
２０  ガイドシャフト
３０  レンズ枠
３１  環状部
３２  当接部
３２ａ  貫通孔
３３，３４  連結部
３５  バネ受け部
３６  被検出片
４０  モータ（駆動源）
５０  リードスクリュー
５１  雄ネジ
６０，６０´  ナット
６１  雌ネジ
６２，６２´  外側面（外周縁部）
６２ａ  回転止め突起（外周縁部）
６２ａ´  両縁部（外周縁部）
６３  端面
７０  バネ
８０  検出センサ
【図１】
2008065093.tif 000003
【図２】
2008065093.tif 000004
【図３】
2008065093.tif 000005
【図４】
2008065093.tif 000006
【図５】
2008065093.tif 000007
【図６】
2008065093.tif 000008
【図７】
2008065093.tif 000009